(57)【要約】【課題】音声モードの設定に関する操作性を向上し得る受信装置を提供する。【解決手段】チューナ１１によって受信されたテレビ放送が音声多重放送のときに所定の音声モードでテレビ放送の音声を出力する音声出力部と、音声出力部を制御する主制御部２３とを備え、主制御部２３は、テレビ放送が音声多重放送であってかつ定常的な音声モードとして設定された定常音声モードとは異なる他の音声モードが選択されている状態において、テレビ放送が音声多重放送から通常放送に切り替わった通常放送状態が所定時間を超えて継続したときに、音声出力部を制御してテレビ放送における次の音声多重放送時において定常音声モードでテレビ放送の音声を出力させると共に、通常放送状態が所定時間以内に終了したときに、音声出力部を制御して次の音声多重放送時において他の音声モードでテレビ放送の音声を出力させる。【選択図】図１
2006211463.tif 000002
【特許請求の範囲】
【請求項１】
受信部によって受信されたテレビ放送が音声多重放送のときに所定の音声モードで当該テレビ放送の音声を出力する音声出力部と、前記音声出力部を制御する制御部とを備えた受信装置であって、
前記制御部は、前記テレビ放送が前記音声多重放送であってかつ定常的な前記音声モードとして設定された定常音声モードとは異なる他の前記音声モードが選択されている状態において、前記テレビ放送が前記音声多重放送からそれ以外の通常放送に切り替わった通常放送状態が所定時間を超えて継続したときに、前記音声出力部を制御して前記テレビ放送における次の前記音声多重放送時において前記定常音声モードで当該テレビ放送の音声を出力させると共に、前記通常放送状態が前記所定時間以内に終了したときに、前記音声出力部を制御して前記次の音声多重放送時において前記他の音声モードで当該テレビ放送の音声を出力させる受信装置。
【請求項２】
請求項１記載の受信装置と、前記テレビ放送の映像を表示する表示部とを備えているテレビ。
【発明の詳細な説明】
【技術分野】
【０００１】
本発明は、音声出力部と音声出力部を制御する制御部とを備えた受信装置、およびその受信装置を備えたテレビに関するものである。
【背景技術】
【０００２】
この種の受信装置として、特開２００４−１５４８６号公報に開示された放送受信装置が知られている。この放送受信装置では、リモコン送信機のオーディオキーを操作することで、音声多重放送における一時的な音声モードの設定が可能となっている。また、この放送受信装置では、オーディオキーを操作（押下）してから３秒以内にリモコン送信機のエンターキーを操作することで、その時点において一時的に設定されている音声モードを定常的な音声モードとして設定することが可能となっている。この場合、一時的に設定した音声モードは、設定変更や電源オフなどを行わない限り、設定した状態に維持され、定常的な音声モードは、設定変更を行わない限り、電源オフが行われても設定した状態に維持される。
【特許文献１】特開２００４−１５４８６号公報（第５頁、第１−３図）
【発明の開示】
【発明が解決しようとする課題】
【０００３】
ところが、従来の放送受信装置には、以下の問題点がある。すなわち、この放送受信装置では、設定変更や電源オフを行わない限り、一時的に設定した音声モードが設定した状態に維持される。このため、例えば、音声多重放送における主音声モードを定常的な音声モードとして設定し、かつ副音声モードを一時的に設定して所定の番組を視聴しているときには、その番組が終了したとしても、副音声モードに設定した状態が維持されることとなる。したがって、この放送受信装置では、次の音声多重放送の番組を主音声モードで視聴しようとしたときには、主音声モードを定常的な音声モードとして設定しているにも拘わらず、主音声モードを一時的な音声モードとして再度設定する必要があり、操作が煩雑となっている。
【０００４】
本発明は、かかる問題点に鑑みてなされたものであり、音声モードの設定に関する操作性を向上し得る受信装置およびテレビを提供することを主目的とする。
【課題を解決するための手段】
【０００５】
上記目的を達成すべく本発明に係る受信装置は、受信部によって受信されたテレビ放送が音声多重放送のときに所定の音声モードで当該テレビ放送の音声を出力する音声出力部と、前記音声出力部を制御する制御部とを備えた受信装置であって、前記制御部は、前記テレビ放送が前記音声多重放送であってかつ定常的な前記音声モードとして設定された定常音声モードとは異なる他の前記音声モードが選択されている状態において、前記テレビ放送が前記音声多重放送からそれ以外の通常放送に切り替わった通常放送状態が所定時間を超えて継続したときに、前記音声出力部を制御して前記テレビ放送における次の前記音声多重放送時において前記定常音声モードで当該テレビ放送の音声を出力させると共に、前記通常放送状態が前記所定時間以内に終了したときに、前記音声出力部を制御して前記次の音声多重放送時において前記他の音声モードで当該テレビ放送の音声を出力させる。
【０００６】
また、本発明に係るテレビは、上記の受信装置と、前記テレビ放送の映像を表示する表示部とを備えている。
【０００７】
この受信装置およびテレビでは、定常音声モードとは異なる音声モードが選択されている状態で、通常放送状態が所定時間を超えて継続したときには、次の音声多重放送時において、定常音声モードで音声を出力させ、通常放送状態が所定時間以内に終了したときには、次の音声多重放送時において、選択されていた音声モードで音声を出力させる。このため、例えば、定常音声モードとは異なる音声モードで視聴していた音声多重放送の番組が終了し、次の音声多重放送の番組を定常音声モードで視聴するときに、手動による音声モードの切替操作を行うことなく、次の音声多重放送の番組の音声を定常音声モードに自動的に切り替えさせることができる。したがって、この受信装置およびテレビによれば、音声モードの設定に関する操作性を十分に向上することができる。
【発明を実施するための最良の形態】
【０００８】
以下、本発明に係る受信装置およびテレビの最良の形態について、添付図面を参照して説明する。図１に示すテレビ１は、本発明に係るテレビの一例であって、本体部２およびリモコン３を備えている。本体部２は、チューナ１１、放送信号処理部１２、音声処理部１３、アンプ１４、スピーカ１５、定常音声モード情報保持部１６、一時音声モード情報保持部１７、出力音声モード情報メモリ１８、タイマ１９、映像出力部２０、表示部２１、受光部２２および主制御部２３を備えている。この場合、チューナ１１、放送信号処理部１２、音声処理部１３、アンプ１４、スピーカ１５、定常音声モード情報保持部１６、一時音声モード情報保持部１７、出力音声モード情報メモリ１８、タイマ１９、受光部２２、主制御部２３およびリモコン３によって本発明に係る受信装置が構成される。また、音声処理部１３、アンプ１４およびスピーカ１５によって本発明における音声出力部が構成される。
【０００９】
チューナ１１は、本発明における受信部に相当し、主制御部２３の制御に従い、例えば、リモコン３の操作によって選局されたチャンネルの放送信号Ｓｂを図外のアンテナで受信した放送波から抽出して、放送信号処理部１２に出力する。放送信号処理部１２は、例えば、ＩＦ回路、音声検波回路、映像検波回路およびＡ／Ｄ変換部（いずれも図示せず）などを備えて構成され、主制御部２３の制御に従い、チューナ１１から出力された放送信号Ｓｂに基づく音声データＤｓおよび映像データＤｐを音声処理部１３および映像出力部２０にそれぞれ出力する。
【００１０】
音声処理部１３は、音声データＤｓに基づき、選局されているチャンネルにおけるテレビ放送（テレビ番組）の種類が音声多重放送、ステレオ放送およびモノラル放送のいずれであるかを検出して検出信号Ｓｄを出力する。なお、ステレオ放送およびモノラル放送がそれぞれ本発明における通常放送に相当し、以下両放送を区別しないときには「通常放送」ともいう。また、音声処理部１３は、音声データＤｓに基づく音声信号Ｓｓを生成してアンプ１４に出力する。この場合、音声処理部１３は、主制御部２３の制御に従い、テレビ放送がステレオ放送のときには、音声信号Ｓｓをステレオモードで生成し、テレビ放送がモノラル放送のときには、音声信号Ｓｓをモノラルモードで生成する。また、音声処理部１３は、テレビ放送が音声多重放送のときには、主制御部２３によって指定された音声モードで音声信号Ｓｓを生成する。ここで、音声多重放送における音声モードとしては、主音声だけを出力する「主音声モード」、副音声だけを出力する「副音声モード」、および主音声と副音声とを同時に出力する「主・副音声モード」の３つのモードがあり、これらのうちのいずれかが主制御部２３によって指定される。
【００１１】
アンプ１４は、音声処理部１３から出力された音声信号Ｓｓを増幅してスピーカ１５に出力する。スピーカ１５は、アンプ１４によって増幅された音声信号Ｓｓに基づく音声を出力する。定常音声モード情報保持部１６は、主制御部２３の制御に従って定常音声モード情報Ｄｍ１を保持（記憶）する。この場合、定常音声モード情報Ｄｍ１は、例えば、リモコン３を用いた設定操作によって上記した主音声モード、副音声モード、および主・副音声モードの中から選択されて設定される音声モードを示す情報であって、テレビ１の電源がオンされた後に、他の音声モードへの切替操作が行われない状態、つまり定常状態においては、音声多重放送の音声がこの定常音声モード情報Ｄｍ１の音声モード（本発明における定常音声モード）で出力される。一時音声モード情報保持部１７は、主制御部２３の制御に従い、後述する一時音声モード情報Ｄｍ２を保持する。
【００１２】
出力音声モード情報メモリ１８は、主制御部２３の制御に従って出力音声モード情報Ｄｍ３を記憶する。この場合、出力音声モード情報Ｄｍ３は、テレビ放送が音声多重放送であるときに、音声処理部１３から出力させる音声信号Ｓｓの音声モード、つまりスピーカ１５から音声を出力させる際の音声モードを示す情報であって、例えば、定常音声モード情報保持部１６に保持されている定常音声モード情報Ｄｍ１と同じ情報、またはリモコン３を用いた音声モード切替操作によって切り替えられた音声モードを示す情報を含んでいる。タイマ１９は、主制御部２３の制御に従って作動し、設定された基準時間Ｔ０（本発明における所定時間）が経過した時点でタイマ信号Ｓｔを主制御部２３に出力する。
【００１３】
映像出力部２０は、主制御部２３の制御に従い、放送信号処理部１２から出力された映像データＤｐに基づき、例えば、図２に示す映像Ｐｔ１（以下、映像の内容を区別しないときには「映像Ｐｔ」ともいう）を表示させるための表示用信号Ｓｅを生成して表示部２１に出力する。表示部２１は、図１に示すように、光学エンジン３１およびスクリーンパネル３２を備えている。光学エンジン３１は、例えば、光源と、デジタルマイクロミラーデバイスや液晶ライトバルブで構成された光変調素子と、投射レンズ（いずれも図示せず）とを備え、主制御部２３の制御に従い、映像出力部２０から出力された表示用信号Ｓｅに基づいて変調した投射光Ｌをスクリーンパネル３２に投射する。スクリーンパネル３２は、光学エンジン３１から投射された投射光Ｌを受光して映像を表示する。
【００１４】
受光部２２は、リモコン３から出力された赤外線信号Ｓｉを受光して光電変換して操作信号Ｓｏを出力する。主制御部２３は、受光部２２から出力された操作信号Ｓｏに従い、チューナ１１、放送信号処理部１２、音声処理部１３、アンプ１４、映像出力部２０および表示部２１を制御する。また、主制御部２３は、定常音声モード情報Ｄｍ１を定常音声モード情報保持部１６に保持させると共に、一時音声モード情報Ｄｍ２を一時音声モード情報保持部１７に保持させる。さらに、主制御部２３は、出力音声モード情報Ｄｍ３を出力音声モード情報メモリ１８に記憶させる。また、主制御部２３は、選局されているチャンネルのテレビ放送が音声多重放送から通常放送（ステレオ放送またはモノラル放送）に切り替わったときに、後述する音声モード設定処理を実行する。
【００１５】
リモコン３は、図２に示すように、本体部２とは別体に形成されている。また、リモコン３は、電源スイッチ４１、チャンネルスイッチ４２，４２・・および音声モード切替スイッチ４３などが配列されて構成され、これらが操作されたときに操作信号を赤外線信号Ｓｉに変換して出力する。
【００１６】
次に、テレビ１の全体的な動作について、図面を参照して説明する。なお、初期状態において、定常音声モード情報保持部１６には、主音声モードを示す情報が定常音声モード情報Ｄｍ１として保持されているものとする。このテレビ１では、リモコン３の電源スイッチ４１が操作された際に、表示部２１の光学エンジン３１に電源が供給されて、光源が発光する。また、主制御部２３が、定常音声モード情報保持部１６に保持されている定常音声モード情報Ｄｍ１（この場合、主音声モードを示す情報）を出力音声モード情報Ｄｍ３として出力音声モード情報メモリ１８に記憶させる。次いで、主制御部２３は、チューナ１１を制御して、直前の電源切断時に選局されていたチャンネル（例えば、チャンネルＣＨ３）の放送信号Ｓｂを抽出させる。続いて、放送信号処理部１２が、主制御部２３の制御に従い、チューナ１１から出力された放送信号Ｓｂに基づく音声データＤｓおよび映像データＤｐを音声処理部１３および映像出力部２０にそれぞれ出力する。
【００１７】
次に、音声処理部１３が、音声データＤｓに基づき、選局されているチャンネル（この場合、チャンネルＣＨ３）における現在のテレビ放送が音声多重放送、ステレオ放送およびモノラル放送のいずれであるかを検出して、検出信号Ｓｄを主制御部２３に出力する。次いで、音声処理部１３は、主制御部２３の制御に従い、音声データＤｓに基づく音声信号Ｓｓを出力する。この場合、主制御部２３は、検出信号Ｓｄに基づいてチャンネルＣＨ３における現在のテレビ放送の種類を特定し、そのテレビ放送が例えばステレオ放送のときにはステレオモードで、そのテレビ放送が例えばモノラル放送のときにはモノラルモードで、音声信号Ｓｓを出力させるように音声処理部１３を制御する。続いて、アンプ１４が、音声処理部１３から出力された音声信号Ｓｓを増幅してスピーカ１５に出力する。これにより、スピーカ１５から音声信号Ｓｓに基づく音声が例えばステレオモードで出力される。
【００１８】
一方、放送信号処理部１２から映像データＤｐが出力されたときに、映像出力部２０が、主制御部２３の制御に従い、映像データＤｐに基づく表示用信号Ｓｅを生成して、表示部２１の光学エンジン３１に出力する。次に、光学エンジン３１が、主制御部２３の制御に従い、表示用信号Ｓｅに基づいて変調した投射光Ｌをスクリーンパネル３２に投射する。これにより、図２に示すように、チャンネルＣＨ３の映像Ｐｔ１がスクリーンパネル３２に表示される。この場合、同図に示すように、映像Ｐｔ１内には、現在の音声モードがステレオモードである旨を示す文字画像が含まれている。
【００１９】
次いで、チャンネルＣＨ３における番組が、例えば、ドラマからニュースに変わり、テレビ放送がステレオ放送から音声多重放送に切り替わったときには、音声処理部１３は、チャンネルＣＨ３における現在のテレビ放送が音声多重放送であることを検出して、その旨を示す検出信号Ｓｄを出力する。この際に、主制御部２３は、検出信号Ｓｄに基づき、チャンネルＣＨ３におけるテレビ放送がステレオ放送から音声多重放送に切り替わったと判別して、出力音声モード情報メモリ１８に記憶されている出力音声モード情報Ｄｍ３を読み出すと共に、その出力音声モード情報Ｄｍ３によって示される音声モード（この場合、主音声モード）で音声信号Ｓｓを出力させるように音声処理部１３を制御する。これに応じて、音声処理部１３が音声信号Ｓｓを主音声モードで出力することにより、音声信号Ｓｓに基づく音声がスピーカ１５から主音声モードで出力される。また、主制御部２３は、映像出力部２０および表示部２１を制御して、図５に示すように、現在のテレビ放送が音声多重放送であって、音声モードが主音声モードである旨を示す文字画像を映像Ｐｔ２内に表示させる。
【００２０】
続いて、例えば、放送中のチャンネルＣＨ３の番組の音声を主音声モードから副音声モード（本発明における定常音声モードとは異なる他の音声モードの一例）に切り替えてその番組を視聴するときには、リモコン３の音声モード切替スイッチ４３を操作する。この際に、リモコン３が音声モード切替スイッチ４３に対応する赤外線信号Ｓｉを出力し、受光部２２が赤外線信号Ｓｉを受光して操作信号Ｓｏを出力する。次に、主制御部２３は、操作信号Ｓｏに従い、主音声モードを示す情報に代えて、副音声モードを示す情報を出力音声モード情報Ｄｍ３として出力音声モード情報メモリ１８に記憶させると共に、副音声モードで音声信号Ｓｓを出力させるように音声処理部１３を制御する。これに応じて、音声処理部１３が音声信号Ｓｓを副音声モードで出力することにより、音声信号Ｓｓに基づく音声がスピーカ１５から副音声モードで出力される。また、主制御部２３は、映像出力部２０および表示部２１を制御して、図６に示すように、現在のテレビ放送が音声多重放送であって、音声モードが副音声モードである旨を示す文字画像を映像Ｐｔ３内に表示させる。
【００２１】
次いで、例えば、テレビ放送が音声多重放送からステレオ放送（一例として、図７に示すコマーシャル）に切り替わったときには、音声処理部１３は、チャンネルＣＨ３における現在のテレビ放送がステレオ放送であることを検出して、その旨を示す検出信号Ｓｄを出力する。この際に、主制御部２３は、検出信号Ｓｄに基づき、チャンネルＣＨ３におけるテレビ放送が音声多重放送からステレオ放送に切り替わったと判別して、ステレオモードで音声信号Ｓｓを出力させるように音声処理部１３を制御する。これに応じて、音声処理部１３が音声信号Ｓｓをステレオモードで出力することにより、音声信号Ｓｓに基づく音声がスピーカ１５からステレオモードで出力される。また、主制御部２３は、映像出力部２０および表示部２１を制御して、図７に示すように、現在のテレビ放送が通常放送であって、音声モードがステレオモードである旨を示す文字画像を映像Ｐｔ４内に表示させる。
【００２２】
一方、主制御部２３は、テレビ放送が音声多重放送からステレオ放送に切り替わったと判別したときに、音声モード設定処理を実行する。この音声モード設定処理では、主制御部２３は、出力音声モード情報メモリ１８に記憶されている出力音声モード情報Ｄｍ３を読み出すと共に、読み出した出力音声モード情報Ｄｍ３（この場合、副音声モードを示す情報）を一時音声モード情報Ｄｍ２として一時音声モード情報保持部１７に保持させる（書き込む）。次に、主制御部２３は、例えば４分を基準時間Ｔ０としてセットして、タイマ１９をスタート（作動）させる。この場合、タイマ１９は、スタートしてから基準時間Ｔ０（この場合４分）が経過した時点でタイマ信号Ｓｔを主制御部２３に出力する。
【００２３】
次いで、例えば、タイマ１９からタイマ信号Ｓｔが出力される以前にステレオ放送（図７に示すコマーシャル）が終了して音声多重放送に切り替わった（上記したニュースが再開した）ときには、音声処理部１３が、チャンネルＣＨ３における現在のテレビ放送が音声多重放送である旨を示す検出信号Ｓｄを出力する。この際に、主制御部２３は、検出信号Ｓｄに基づき、チャンネルＣＨ３におけるテレビ放送がステレオ放送に切り替わった状態（本発明における通常放送状態）が基準時間Ｔ０（本発明における所定時間）以内に終了したと判別して、図３に示す一時音声モード設定処理５０を実行する。この一時音声モード設定処理５０では、主制御部２３は、タイマ１９をリセット（停止）させた後に（ステップ５１）、一時音声モード情報保持部１７に保持されている一時音声モード情報Ｄｍ２を読み出す（ステップ５２）。続いて、主制御部２３は、一時音声モード情報Ｄｍ２を出力音声モード情報Ｄｍ３として出力音声モード情報メモリ１８に書き込む（ステップ５３）。次に、主制御部２３は、出力音声モード情報Ｄｍ３によって示される音声モード（この場合、副音声モード）で音声信号Ｓｓを出力させるように音声処理部１３を制御する。これに応じて、音声処理部１３が音声信号Ｓｓを副音声モードで出力することにより、音声信号Ｓｓに基づく音声がスピーカ１５から副音声モードで出力される。また、主制御部２３は、映像出力部２０および表示部２１を制御して、図８に示すように、現在のテレビ放送が音声多重放送であって、音声モードが副音声モードである旨を示す文字画像を映像Ｐｔ５内に表示させる。
【００２４】
一方、タイマ１９からタイマ信号Ｓｔが出力された時点でステレオ放送（例えば、図７に示すコマーシャル）が継続しているときには、この時点では、チャンネルＣＨ３における現在のテレビ放送が音声多重放送である旨を示す検出信号Ｓｄが音声処理部１３から出力されない（ステレオ放送である旨を示す検出信号Ｓｄが引き続いて出力される）こととなる。この際には、主制御部２３は、チャンネルＣＨ３におけるテレビ放送がステレオ放送に切り替わった状態（本発明における通常放送状態）が基準時間Ｔ０（本発明における所定時間）を超えて継続したと判別して、図４に示す定常音声モード設定処理６０を実行する。この定常音声モード設定処理６０では、主制御部２３は、タイマ１９をリセット（停止）させた後に（ステップ６１）、定常音声モード情報保持部１６に保持されている定常音声モード情報Ｄｍ１を読み出す（ステップ６２）。続いて、主制御部２３は、定常音声モード情報Ｄｍ１（この場合、主音声モードを示す情報）を出力音声モード情報Ｄｍ３として出力音声モード情報メモリ１８に書き込む（ステップ６３）。次に、例えば、ステレオ放送（上記したコマーシャル）が終了して、先に視聴していたニュースとは異なる次の音声多重放送の番組に切り替わったときには、主制御部２３は、出力音声モード情報メモリ１８から出力音声モード情報Ｄｍ３を読み出して、出力音声モード情報Ｄｍ３によって示される音声モード（この場合、主音声モード）で音声信号Ｓｓを出力させるように音声処理部１３を制御する。これに応じて、音声処理部１３が音声信号Ｓｓを主音声モードで出力することにより、音声信号Ｓｓに基づく音声がスピーカ１５から主音声モードで出力される。また、主制御部２３は、映像出力部２０および表示部２１を制御して、図９に示すように、現在のテレビ放送が音声多重放送であって、音声モードが主音声モードである旨を示す文字画像を映像Ｐｔ６内に表示させる。
【００２５】
この場合、番組の途中で放送されるコマーシャルは、一般的に、比較的短い時間（例えば４分以内）で終了し、前の番組と次の番組との間に放送されるコマーシャルは比較的長い時間（例えば４分を超える時間）継続する。このため、上記したように、基準時間Ｔ０を例えば４分に設定することで、同じ音声多重放送の番組がコマーシャルを挟んで継続しているときなどには、コマーシャルの放送前に選択していた音声モード（一時音声モード情報Ｄｍ２によって示される音声モード）で引き続き音声を出力させ、コマーシャルの前に放送されていた番組が終了したときには、次の音声多重放送の番組において定常音声モード情報Ｄｍ１によって示される音声モードで音声を出力させるような処理を自動的に行わせることが可能となる。
【００２６】
このように、この受信装置およびテレビ１によれば、定常音声モードとは異なる音声モードが選択されている状態で、テレビ放送が音声多重放送から通常放送に切り替わった通常放送状態が基準時間Ｔ０を超えて継続したときには、次の音声多重放送時において、定常音声モードで音声を出力させ、通常放送状態が基準時間Ｔ０以内に終了したときには、次の音声多重放送時において、選択されていた音声モードで音声を出力させることにより、例えば、定常音声モードとは異なる音声モードで視聴していた音声多重放送の番組が終了し、次の音声多重放送の番組を定常音声モードで視聴するときに、手動による音声モードの切替操作を行うことなく、次の音声多重放送の番組の音声を定常音声モードに自動的に切り替えさせることができる。したがって、この受信装置およびテレビ１によれば、音声モードの設定に関する操作性を十分に向上することができる。
【００２７】
なお、本発明は、上記の構成に限定されない。例えば、光学エンジン３１およびスクリーンパネル３２を備えて表示部２１を構成した例について上記したが、ＣＲＴ、液晶表示パネルおよびプラズマディスプレイ等を表示部として採用することもできる。また、本発明に係る受信装置をテレビ１に適用した例について上記したが、ビデオレコーダ、ＤＶＤレコーダ、ハードディスクレコーダ等に本発明を適用することもできる。
【図面の簡単な説明】
【００２８】
【図１】テレビ１の構成を示すブロック図である。
【図２】テレビ１の正面図である。
【図３】一時音声モード設定処理５０のフローチャートである。
【図４】定常音声モード設定処理６０のフローチャートである。
【図５】映像Ｐｔ２の表示画面図である。
【図６】映像Ｐｔ３の表示画面図である。
【図７】映像Ｐｔ４の表示画面図である。
【図８】映像Ｐｔ５の表示画面図である。
【図９】映像Ｐｔ６の表示画面図である。
【符号の説明】
【００２９】
１  テレビ、１１  チューナ、１３  音声処理部、１４  アンプ、１５  スピーカ、２１  表示部、２３  主制御部、、Ｐｔ１〜Ｐｔ６  映像、Ｔ０  基準時間
【図１】
2006211463.tif 000003
【図２】
2006211463.tif 000004
【図３】
2006211463.tif 000005
【図４】
2006211463.tif 000006
【図５】
2006211463.tif 000007
【図６】
2006211463.tif 000008
【図７】
2006211463.tif 000009
【図８】
2006211463.tif 000010
【図９】
2006211463.tif 000011